(57)【特許請求の範囲】
【請求項１】
モータにて指針を駆動する時計本体と、前記時計本体を覆う外装ケースとを備え、前記時計本体の機械的構造を視覚的に露呈してなるスケルトン時計において、
前記時計本体は、ゼンマイを巻き上げるゼンマイ巻き上げ手段と、前記指針の駆動に連動して前記ゼンマイを解放するゼンマイ解放手段と、前記ゼンマイが解放されると前記ゼンマイの力にて駆動する駆動部とを備え、前記外装ケースについては、前記ゼンマイ巻き上げ手段、前記ゼンマイ解放手段、及び前記駆動部の少なくとも一部を視覚的に露呈し、
前記ゼンマイ解放手段は、前記指針と前記ゼンマイ巻上げ手段との間に設けられた駆動系であるとともに、前記ゼンマイが解放されると前記ゼンマイの力で回転する時報停止カム及び風切車と、前記指針に従動するカムと、前記カムによって操作される第１レバーと、前記第１レバーによって操作される第２レバーとを備え、前記時報停止カムは、前記第２レバーを嵌め入れるものであり、前記風切車は、前記第１レバーと当接するピンを備え、
前記カムが回転し、前記第２レバーが前記時報停止カムから外れると、前記風切車のピンが前記第１レバーに当接するまで前記時報停止カム及び前記風切車が回転し、更に前記カムが回転すると、前記第１レバーから風切車のピンが外れて、前記時報停止カム及び前記風切車が回転するとともに前記駆動部が作動するようにしたことを特徴とするスケルトン時計。
【発明の詳細な説明】
【０００１】
【発明の属する技術分野】
本発明は、モータにて指針を駆動する時計本体と、時計本体を覆う透明な外装ケースとを備え、時計本体の機械的構造を視覚的に露呈してなるスケルトン時計に関する。
【０００２】
【従来の技術】
一般に、見た目の面白さを向上した時計として、透明な外装ケース（半透明であってもよい）を備え、時計本体の機械的構造を視覚的に露呈してなるスケルトン時計が知られている。
【０００３】
すなわち、この種の時計は、時刻を表示する指針の他にも、指針を動かす減速装置等を観察可能とすることにより、見る者が興味をそそる体裁をなしている。
【０００４】
【発明が解決しようとする課題】
ところで、前述したスケルトン時計においては、例えば減速装置と噛合する歯車や、カム機構や、リンク機構を用いて時報の機能を構成する等、更に多くの動作を得るとともに、これを観察可能とし、より複雑なものを構成することができる。
【０００５】
しかしながら、歯車、カム機構、及びリンク機構によって得られる動作は、比較的単純にならざるを得ず、スケルトン時計の動作については、見る者に対して視覚的により大きな印象を与える構成が望まれている。
【０００６】
そこで本発明は、このような問題を考慮し、より面白い動作を効率よく得ることにより、その趣向を一層向上したスケルトン時計を提供することを目的としている。
【０００７】
【課題を解決するための手段】
本願第１請求項に記載した発明は、モータにて指針を駆動する時計本体と、前記時計本体を覆う外装ケースとを備え、前記時計本体の機械的構造を視覚的に露呈してなるスケルトン時計において、前記時計本体は、ゼンマイを巻き上げるゼンマイ巻き上げ手段と、前記指針の駆動に連動して前記ゼンマイを解放するゼンマイ解放手段と、前記ゼンマイが解放されると前記ゼンマイの力にて駆動する駆動部とを備え、前記外装ケースについては、前記ゼンマイ巻き上げ手段、前記ゼンマイ解放手段、及び前記駆動部の少なくとも一部を視覚的に露呈し、前記ゼンマイ解放手段は、前記指針と前記ゼンマイ巻上げ手段との間に設けられた駆動系であるとともに、前記ゼンマイが解放されると前記ゼンマイの力で回転する時報停止カム及び風切車と、前記指針に従動するカムと、前記カムによって操作される第１レバーと、前記第１レバーによって操作される第２レバーとを備え、前記時報停止カムは、前記第２レバーを嵌め入れるものであり、前記風切車は、前記第１レバーと当接するピンを備え、前記カムが回転し、前記第２レバーが前記時報停止カムから外れると、前記風切車のピンが前記第１レバーに当接するまで前記時報停止カム及び前記風切車が回転し、更に前記カムが回転すると、前記第１レバーから風切車のピンが外れて、前記時報停止カム及び前記風切車が回転するとともに前記駆動部が作動するようにした構成のスケルトン時計であり、このような構成によると、より面白い動作が効率よく得られ、その趣向が一層向上される。
【０００８】
すなわち、本発明のスケルトン時計は、ゼンマイを巻き上げて、このゼンマイを指針の駆動に連動して解放し、駆動部をゼンマイの力で駆動するとともに、その動作を観察することが可能であり、例えば歯車、カム機構、及びリンク機構のみで駆動部の動作を得るものと比較すると、見る者に対してより大きな印象を与えることが可能である。
【０００９】
尚、前記ゼンマイ巻き上げ手段は、前記指針を駆動するモータの力を利用して前記ゼンマイを巻き上げるように構成するとよい。このような構成によると、ゼンマイは、モータの力を利用することにより、他の駆動源等を設けずとも自動的に巻き上げられる。
【００１０】
また、前記時計本体は、前記指針及び前記モータの間に配置された減速装置を備えるとともに、前記指針、前記減速装置、前記ゼンマイ巻き上げ手段、前記ゼンマイ解放手段、及び前記駆動部をその正面に配置したプレートを備えたものとし、前記外装ケースについては、少なくとも前記プレートの正面側を視覚的に露呈するとよい。このような構成によると、より面白い動作が効率よく得られ、その趣向が一層向上される。
【００１１】
すなわち、このような構成のスケルトン時計は、指針を駆動する減速装置の動作と、ゼンマイを巻き上げる動作と、このゼンマイを指針の駆動に連動して解放し、駆動部をゼンマイの力で駆動する動作とを観察することが可能であり、例えば歯車、カム機構、及びリンク機構のみで駆動部の動作を得るものと比較すると、見る者に対してより大きな印象を与えることができる。
【００１２】
また、ゼンマイは、モータの力を利用することにより、他の駆動源等を設けずとも自動的に巻き上げられる。
【００１３】
特に、プレートの正面に指針、減速装置、ゼンマイ巻き上げ手段、ゼンマイ解放手段、及び駆動部を配置すれば、これらが織り成す一連の動きを、同一方向から観察することが可能であり、例えば置時計や壁掛け時計として好適に用いることが可能である。
【００１４】
更に、前記外装ケースは、複数のケース部材を組み付けて構成するとよい。このような構成によると、時計本体を内部に配置しつつケース部材を組み付けることによって、外装ケースが効率よく設けられる。
【００１５】
更に、当該時計は発音体を備え、前記駆動部は前記発音体を叩くように構成するとよい。このような構成によると、駆動部が発音体を叩くことによって音が発生され、視覚的な面白さに加えて、聴覚的な面白さが得られる。
【００１６】
【発明の実施の形態】
以下に、本発明の具体例を図面に基づいて詳細に説明する。
【００１７】
図１乃至図２に示すように、本例のスケルトン時計１は、その全体又は一部が透明な外装ケース２の内部に時計本体３を嵌装し、時計本体３の機械的構造を視覚的に露呈してなるのものである。
【００１８】
外装ケース２は、本時計１の正面側及び背面側をそれぞれ構成する複数のケース部材２１０を組み付けてなり、複数のケース部材２１０のうち、少なくとも正面側のものは、パステルカラーに着色されたアクリル樹脂製又はガラス製の透明なものである。
【００１９】
また、これらのケース部材２１０の組み付けは、ねじ止めによって又は接着剤を用いて行うように構成している。
【００２０】
図３乃至図４に示すように、本例の時計本体３は、その基板となるプレート３１０と、プレート３１０の背面に設けられたステップモータ３２０及び図示を省略したその電源と、プレート３１０の正面に設けられた分針３３１及び時針３３２と、ステップモータ３２０と分針３３１及び時針３３２との間に介在された複数のギア及びカナからなる減速装置３４０とを備え、ステップモータ３２０にて分針３３１及び時針３３２を駆動するように構成している。
【００２１】
尚、プレート３１０は、本例では鏡面処理を施した金属板を用いたが、或いは透明な部材で構成してもよい。
【００２２】
また、ステップモータ３２０の出力軸３２１は、プレート３１０の背面から正面に貫通されており、減速装置３４０は、プレート３１０の正面に設けられている。
【００２３】
減速装置３４０において、分針３３１を支持する筒カナ３４１には、日ノ裏車３５０が歯合されている。この日ノ裏車３５０は、プレート３１０の背面側から操作される針合せカナ３６０と歯合されており、分針３３１及び時針３３２は、針合せカナ３６０を操作することによって調整される。尚、背面側を構成するケース部材２１０には、針合せカナ３６０の操作部等を外部にもたらす開口を設けている。
【００２４】
更に、これらの図、並びに図５乃至８に示すように、時計本体３には、モータ３２０の力を利用してゼンマイ３７１を巻き上げるゼンマイ巻き上げ手段３７０と、分針３３２の駆動に連動してゼンマイ３７１を所定のタイミングで解放するゼンマイ解放手段３８０と、ゼンマイ３７１の力にて駆動する駆動部３９０とを設けている。
【００２５】
本例の駆動部３９０は、プレート３１０の正面に支持した発音体３９１を叩く撞木であり、ゼンマイ解放手段３８０は、分針３２１が一回転する毎にゼンマイ３７１を解放する。
【００２６】
しかるに本時計１は、これらのゼンマイ巻き上げ手段３７０、ゼンマイ解放手段３８０、及び駆動部３９０によって、時報の機能が構成されたものである。
【００２７】
ゼンマイ巻き上げ手段３７０は、プレート３１０の正面に設けており、ゼンマイ３７１の両端をそれぞれ支持する第１ギア３７２及び第２ギア３７３を備え、第１ギア３７２を針合せカナ３６０のトルクにて回転することにより、ゼンマイ３７１を巻き上げる。また、第２ギア３７３は、その回転をゼンマイ解放手段３８０によって規制され、且つその規制を所定のタイミングで解除される。
【００２８】
第１ギア３７２は、針合せカナ３６０と歯合するとともに、第２ギア３７３と一体の軸部３７４の先端部に遊嵌しており、第２ギア３７３は、プレート３１０に枢支している。
【００２９】
ゼンマイ３７１は、コイル状の弾性部材であり、軸部３７４の外周に沿って装着するとともに、その一端を、第１ギア３７２に対して離合可能に設けられたラチェットホイール３７５に固定し、その他端を、第２ギア３７３に固定している。
【００３０】
ラチェットホイール３７５は、止め金具３７６を用いて軸部３７４の中間部に遊嵌するとともに、プレート３１０に支持したラチェットバネ３７７で規制しており、所定の方向にのみ回転される。
【００３１】
また、第1ギア３７２及びラチェットホイール３７５には、互いに係合する係合片３７２ａ及び係合穴３７５ａをそれぞれ設けている。
【００３２】
尚、止め金具３７６は、軸部３７４に固定して設けた鉤状の部材であり、鉤状に形成されたその先端部が、ラチェットホイール３７５に設けた溝部３７５ｂに沿って移動するように構成されている。
【００３３】
すなわち、このような構成によると、モータ３２０の力により、減速装置３４０及び日ノ裏車３５０を介して針合せカナ３６０が回転し、針合せカナ３６０のトルクにて第１ギア３７２が回転される。
【００３４】
第１ギア３７２が回転すると、ラチェットホイール３７５は、係合片３７２ａを係合穴３７５ａに係合しつつ第1ギア３７２とともに回転する。
【００３５】
この際ゼンマイ３７１は、その一端を、ラチェットホイール３７５を介して第１ギア３７２に支持されるとともに、その他端を、第２ギア３７３に支持された状態であり、第１ギア３７２の回転に伴い巻き上げられる。
【００３６】
また、ゼンマイ３７１がある程度巻き上げられると、ラチェットホイール３７５は第２ギア３７３側に引っ張られて僅かに移動し、係合片３７２ａと係合穴３７５ａとの係合は外される。従って、ゼンマイ３７１が必要以上に巻き上げられることはない。
【００３７】
尚ここで、巻き上げられたゼンマイ３７１は、ラチェットホイール３７５の回転方向がラチェットバネ３７７によって規制されていることから、不要に解放されることはない。
【００３８】
更に、ラチェットホイール３７５の回転方向が規制されているので、針合せカナ３６０を、モータ３２０による回転方向とは逆の方向に操作した場合は、係止片３７２ａと係合穴３７５ａとの係合が外れて、第１ギア３７２のみが回転する。尚、係合片３７２ａの縁部には、所定の方向に向かって傾斜が設定されており、そのような場合には、係止片３７２ａと係合穴３７５ａとが容易に外れるように構成している。従って、ゼンマイ３７１が逆巻きされることはない。
【００３９】
このように、本例のゼンマイ巻き上げ手段３７０においては、ラチェットホイール３７５及びラチェットバネ３７７を設けることによって、ゼンマイ３７１の逆巻き及び巻き過ぎを防止するゼンマイ保護手段を構成している。
【００４０】
そして、駆動部３９０は、プレート３１０に枢支されるとともに、その基端３９０ａを第２ギア３７３と一体に設けたスターホイール３７８に当接されており、ゼンマイ３７１が解放されると、第２ギア３７３は、スターホイール３７８とともに回転し、駆動部３９０は、ゼンマイ３７１が生じる第２ギア３７３のトルクにて揺動される。
【００４１】
本例のゼンマイ解放手段３８０は、プレート３１０の正面に設けており、ゼンマイ巻き上げ手段３７０の第２ギア３７３の回転を規制し且つその規制を所定のタイミングで解除するものであり、分針３３１を支持する筒カナ３４１に固定された分針カム３８１と、分針カム３８１によって操作される第１レバー３８２と、第１レバー３８２によって操作される第２レバー３８３と、第１レバー３８２に当接されるピン３８４ａが設けられた風切車３８４と、風切車３８４のカナ３８４ｂに歯合された中間ギア３８５と、中間ギア３８５と同期回転し且つ第２レバー３８３の先端部３８３ａを嵌め入れる切り欠き３８６ａが設けられた時報停止カム３８６と、中間ギア３８５及び時報停止カム３８６と一体に設けられるとともに第２ギアと歯合された第２ギア規制カナ３８７とで構成されている。
【００４２】
このような構成によると、筒カナ３４１に設けられた分針カム３８１は、分針３３１とともに回転し、第１レバー３８２を押し上げ、第１レバー３８２は、第２レバー３８３を押し上げる（図６参照）。
【００４３】
ここで、第２レバー３８３の先端部３８３ａは、時報停止カム３８６の切り欠き３８６ａに嵌め入れられているので、第２ギア規制カナ３８７は、静止状態を維持している。
【００４４】
そして、第２レバー３８３がある程度押し上げられると、第２レバー３８３の先端部３８３ａが、時報停止カム３６８の切り欠き３６８ａから外れて、第２ギア規制カナ３８７の静止状態が解かれる。従って、第２ギア３７３がゼンマイ３７１の力で回転し、第２ギア３７３に従動して、第２ギア規制カナ３８７、時報停止カム３８６、中間ギア３８５、及び風切車３８４が回転する（図７参照）。
【００４５】
但し、ここでの回転は、風切車３８４のピン３８４ａが第１レバー３８２に当接することによって、その直後に停止する。すなわち、第２ギア３７３の回転は、風切車３８４のピン３８４ａが第１レバー３８２に当接したところで再び規制され、駆動部３９０が発音体３９１を叩くことはない。
【００４６】
その後、更に分針カム３８１が回転すると、第１レバー３８２が分針カム３８１の頂部から落下し、第１レバー３８２から風切車３８４のピン３８４ａが外れる（図８参照）。
【００４７】
風切車３８４のピン３８４ａが外れると、第２ギア３７３の規制が解除されて、ゼンマイ３７１の力により、第２ギア３７３、第２ギア規制カナ３８７、時報停止カム３８６、中間ギア３８５、及び風切車３８４が回転するとともに、駆動部３９０が発音体３９１を叩く。
【００４８】
また、こうした動作は、時報停止カム３８６が一週して、第２レバー３８３の先端部３８３ａが切り欠き３８６ａに落下することによって停止する。尚、駆動部３９０は、この間に複数回揺動し、発音体３９１を所定の回数叩くように設定している。
【００４９】
しかして、これらの分針カム３８１、第１レバー３８２、第２レバー３８３、風切車３８４、中間ギア３８５、時報停止カム３８６、及び第２ギア規制カナ３８７は、時報停止カム３８６が一週したところで、初期の状態（図６参照）に戻る。
【００５０】
このように、本例の時計１は、指針３３１，３３２を駆動するモータ３２０の力を利用してゼンマイ３７１を巻き上げ、このゼンマイ３７１により、１時間毎に発音体を所定の回数鳴らすものである。また、透明な外装ケース２を用いて、そのような一連の機構を観察可能とし、見た目の面白さを向上したものである。
【００５１】
尚、本例の駆動部３９０は、発音体３９１を叩く撞木であるが、或いは、人形等の装飾物を用いて構成してもよい。すなわち、本例におけるゼンマイ巻き上げ手段３７０及びゼンマイ解放手段３８０の構成は、装飾物が所定のタイミングで動作するからくり時計や装飾時計等にも応用することができる。
【００５２】
また、このようなゼンマイ巻き上げ手段及び駆動部を複数設けて、より多くの動作を得るように構成することも可能である。
【００５３】
また、本例のゼンマイ巻き上げ手段３７０は、指針３３１，３３２を駆動するモータ３２１の力を利用してゼンマイ３７１を巻き上げるものであるが、或いは、指針３３１，３３２を駆動するモータ３２１とは別のモータを設けて、そのモータにより巻き上げるように構成してもよい。
【００５４】
以上説明したように、本例のスケルトン時計によると、時計本体は、ゼンマイを巻き上げるゼンマイ巻き上げ手段と、指針の駆動に連動してゼンマイを解放するゼンマイ解放手段と、ゼンマイの力にて駆動する駆動部とを備え、外装ケースについては、ゼンマイ巻き上げ手段、ゼンマイ解放手段、及び前記駆動部の少なくとも一部を視覚的に露呈したので、より面白い動作を効率よく得ることができ、その趣向を一層向上することができる。
【００５５】
すなわち本例のスケルトン時計は、ゼンマイを巻き上げて、このゼンマイを指針の駆動に連動して解放し、駆動部をゼンマイの力で駆動するとともに、その動作を観察することができるものであり、例えば歯車、カム機構、及びリンク機構のみで駆動部の動作を得るものと比較すると、見る者に対してより大きな印象を与えることができる。
【００５６】
更に、本例のスケルトン時計によると、ゼンマイ巻き上げ手段は、指針を駆動するモータの力を利用してゼンマイを巻き上げるので、ゼンマイは、他の駆動源等を設けずとも自動的に巻き上げることができる。
【００５７】
更に、本例のスケルトン時計によると、時計本体は、指針及びモータの間に配置された減速装置と、指針、減速装置、ゼンマイ巻き上げ手段、ゼンマイ解放手段、及び駆動部をその正面に配置したプレートとを備え、外装ケースについては、少なくともプレートの正面側を視覚的に露呈したので、指針、減速装置、ゼンマイ巻き上げ手段、ゼンマイ解放手段、及び駆動部が織り成す一連の動きは、プレートの正面側の同一方向から観察することができ、置時計や壁掛け時計として好適に用いることができる。
【００５８】
更に、本例のスケルトン時計によると、外装ケースは、複数のケース部材を組み付けて構成したので、時計本体を内部に配置しつつケース部材を組み付けることによって、外装ケースを効率よく設けることができる。
【００５９】
更に、本例のスケルトン時計によると、当該時計は発音体を備え、駆動部は発音体を叩くので、駆動部が発音体を叩くことによって音を発生することができ、視覚的な面白さに加えて、聴覚的な面白さをも得ることができる。
【００６０】
次に、本発明の他の具体例を図９乃至図１１に基づいて説明する。
【００６１】
尚、前述した具体例と共通する外装ケース等の基本的な構成については、その図示及び説明を省略する。
【００６２】
これらの図に示すように、本例のゼンマイ巻き上げ手段３７０は、第１ギア３７２を日ノ裏車のカナ３５１に歯合しており、日ノ裏車３５０のトルクにて回転するものである。前記日ノ裏車のカナ３５１は、日ノ裏車３５０を支持する軸と一体に設けた部材である。
【００６３】
また、第１ギア３７２及び第２ギア３７３は、プレート３１０に設けた軸部３７４に遊嵌している。
【００６４】
更に、第１ギア３７２には所定のピッチで複数の係合穴３７２ｂを設けるとともに、ラチェットホイール３７５には、複数の係合穴３７２ｂのいずれかに係合される係合片３７５ｃを設けている。
【００６５】
第１ギア３７２とラチェットホイール３７５との間には、第２ギア３７３に支持した支持板３７９を設けており、係合穴３７２ｂと係止片３７５ｃとの係合は、第１ギア３７２が回転して係合片３７５ｃが支持板３７９に乗り上げることによって解除される。
【００６６】
そして、ゼンマイ３７１が解放されると、支持板３７９は第２ギア３７３とともに回転し、係合片３７５ｃは再び係合穴３７２ｂと係合する。
【００６７】
尚、本例の場合、第１ギア３７２は、１２時間で一回転するように設定されており、ゼンマイ３７１が巻き上げられる時間は、およそ１０時間である。
【００６８】
駆動部３９０は、その基端３９０ａに長溝３９０ｂを有し、この長溝３９０ｂには、輪列３９２に歯合された偏心カム３９３が係止されている。輪列３９２は、ゼンマイ巻き上げ手段の第２ギア３７３と歯合されており、駆動部３９０は、第２ギア３７３のトルクによって、偏心カム３９３が回転するとともに揺動する。
【００６９】
本例のゼンマイ解放手段３８０は、任意の時間に設定可能な目安レバーと一体に設けたものであり、駆動部３９０の基端３９０ａに係止することによって第２ギア３７３の回転を規制し、且つ、駆動部３９０の基端３９０ａから離れることによってその規制を解除する。すなわち、ゼンマイ３７１を解放するタイミングを任意に設定可能に設けたものであり、目覚まし機能を構成している。
【００７０】
このように本例の時計１は、目安レバーと一体に設けたゼンマイ解放手段３８０を用いたものであり、任意の時間になると発音体を鳴らすものである。従って、目覚まし時計として用いられる。目安レバーの構成は、一般の目覚まし時計に広く用いられており、ゼンマイ解放手段３８０は、このような目安レバーを利用して構成することができる。
【００７１】
【発明の効果】
本願第１請求項に記載した発明は、モータにて指針を駆動する時計本体と、前記時計本体を覆う外装ケースとを備え、前記時計本体の機械的構造を視覚的に露呈してなるスケルトン時計において、前記時計本体は、ゼンマイを巻き上げるゼンマイ巻き上げ手段と、前記指針の駆動に連動して前記ゼンマイを解放するゼンマイ解放手段と、前記ゼンマイが解放されると前記ゼンマイの力にて駆動する駆動部とを備え、前記外装ケースについては、前記ゼンマイ巻き上げ手段、前記ゼンマイ解放手段、及び前記駆動部の少なくとも一部を視覚的に露呈し、前記ゼンマイ解放手段は、前記指針と前記ゼンマイ巻上げ手段との間に設けられた駆動系であるとともに、前記ゼンマイが解放されると前記ゼンマイの力で回転する時報停止カム及び風切車と、前記指針に従動するカムと、前記カムによって操作される第１レバーと、前記第１レバーによって操作される第２レバーとを備え、前記時報停止カムは、前記第２レバーを嵌め入れるものであり、前記風切車は、前記第１レバーと当接するピンを備え、前記カムが回転し、前記第２レバーが前記時報停止カムから外れると、前記風切車のピンが前記第１レバーに当接するまで前記時報停止カム及び前記風切車が回転し、更に前記カムが回転すると、前記第１レバーから風切車のピンが外れて、前記時報停止カム及び前記風切車が回転するとともに前記駆動部が作動するようにした構成のスケルトン時計であり、このような構成によると、より面白い動作を効率よく得ることができ、その趣向を一層向上することができる。
【図面の簡単な説明】
【図１】  本発明の具体例に係り、時計の斜視図である。
【図２】  本発明の具体例に係り、時計の分解斜視図である。
【図３】  本発明の具体例に係り、時計本体を示す正面図である。
【図４】  本発明の具体例に係り、時計本体を示す斜視図である。
【図５】  本発明に具体例に係り、ゼンマイ巻き上げ手段を示す分解斜視図である。
【図６】  本発明の具体例に係り、ゼンマイ解放手段を示す正面図である。
【図７】  本発明の具体例に係り、ゼンマイ解放手段を示す正面図である。
【図８】  本発明の具体例に係り、ゼンマイ解放手段を示す正面図である。
【図９】  本発明の具体例に係り、時計本体の要部を示す正面図である。
【図１０】  本発明の具体例に係り、時計本体の要部を示す斜視図である。
【図１１】  本発明の具体例に係り、ゼンマイ巻き上げ手段を示す断面図である。
【符号の説明】
１      スケルトン時計
２      外装ケース
３      時計本体
２１０      ケース部材
３１０      プレート
３２０      ステップモータ
３２１      出力軸
３３１      分針
３３２      時針
３４０      減速装置
３４１      筒カナ
３５０      日ノ裏車
３５１      日ノ裏車のカナ
３６０      針合せカナ
３７０      ゼンマイ巻き上げ手段
３７１      ゼンマイ
３７２      第１ギア
３７２ａ      係合片
３７２ｂ      係合穴
３７３      第２ギア
３７４      軸部
３７５      ラチェットホイール
３７５ａ      係合穴
３７５ｂ      溝部
３７５ｃ      係合片
３７６      止め金具
３７７      ラチェットバネ
３７８      スターホイール
３７９      支持板
３８０      ゼンマイ解放手段
３８１      分針カム
３８２      第１レバー
３８３      第２レバー
３８３ａ      先端部
３８４      風切車
３８４ｂ      風切車のカナ
３８４ａ      ピン
３８５      中間ギア
３８６      時報停止カム
３８６ａ      切り欠き
３８７      第２ギア規制カナ
３９０      駆動部
３９０ａ      基端
３９０ｂ      長穴
３９１      発音体
３９２      輪列
３９３      偏心カム
【図１】
0003737661.tif 000002
【図２】
0003737661.tif 000003
【図３】
0003737661.tif 000004
【図４】
0003737661.tif 000005
【図５】
0003737661.tif 000006
【図６】
0003737661.tif 000007
【図７】
0003737661.tif 000008
【図８】
0003737661.tif 000009
【図９】
0003737661.tif 000010
【図１０】
0003737661.tif 000011
【図１１】
0003737661.tif 000012